(57)【要約】      （修正有）【課題】  複数のディスクをポータブルＤＶＤ装置と一体にして持ち運べて、ディスクを持ち運ぶときに嵩張ることがないポータブルＤＶＤ装置のディスク収納構造を提供する。【解決手段】  ディスクの再生機構を内蔵するＤＶＤ本体部１における再生機構が配置されている下側の他のディスクＤを収納する収納部はＤＶＤ本体部から側面方向に出し入れ可能に構成し収納部の前面側に前後の係止溝３ａ、３ｂを形成し、ＤＶＤ本体部の側面に収納部をＤＶＤ本体部内に入れた時と出した時に、前後の係止溝に係入係止する爪部４ａを有する押しボタン４を設け、収納部にディスクを１枚ずつ入れた複数の袋状体２を収納する凹所３ｃ、３ｄを形成し、複数の袋状体は一体に連結した基部２ａの近傍の各袋状体間に配設したスポンジ７でそれぞれ開き、収納部における複数の袋状体を収納する凹所の横端側に複数の袋状体が畳まれた状態を保持するスライド式の引っ掛け部６を設けている。【選択図】図２
2006004554.tif 000002
【特許請求の範囲】
【請求項１】
ディスクの再生機構を内蔵するＤＶＤ本体部における前記再生機構が配置されている下側に、他のディスクを収納する収納部を有するポータブルＤＶＤ装置のディスク収納構造において、前記収納部は、前記ＤＶＤ本体部から側面方向に出し入れ可能に構成され、前記収納部の前面側に前後２箇所の係止溝が形成され、前記ＤＶＤ本体部の側面に、前記収納部を前記ＤＶＤ本体部内に入れた時と前記収納部を前記ＤＶＤ本体部から出した時に、前記前後２箇所の係止溝にそれぞれ係入係止される爪部を有する押しボタンが設けられていて、更に、前記収納部にはディスクが１枚ずつ入れられた複数の袋状体が収納される凹所が形成され、前記複数の袋状体は、一体に連結された基部の近傍における各袋状体間に配設されたスポンジからなる弾性体でそれぞれ開くように構成されており、前記収納部における前記複数の袋状体が収納される前記凹所の横端側に、前記複数の袋状体が折り重なって畳まれた状態を保持するためのスライド式の引っ掛け部が設けられていることを特徴とするポータブルＤＶＤ装置のディスク収納構造。
【請求項２】
ディスクの再生機構を内蔵するＤＶＤ本体部における前記再生機構が配置されている下側に、他のディスクを収納する収納部を有するポータブルＤＶＤ装置のディスク収納構造において、前記収納部は、前記ＤＶＤ本体部から側面方向又は前面方向に出し入れ可能に構成され、前記収納部が出し入れされるときに、出した状態と入れた状態で係止する押しボタンを有する係止機構が設けられていて、更に前記収納部にはディスクが一枚ずつ入れられた複数の袋状体が収納される凹所が形成され、前記複数の袋状体は、一体に連結された基部の近傍における各袋状体間に配設された弾性体でそれぞれ開くように構成されており、前記収納部における前記複数の袋状体が収納される前記凹所には、その端部に複数の袋状体が折り重なって畳まれた状態を保持する引っ掛け部が設けられていることを特徴とするポータブルＤＶＤ装置のディスク収納構造。
【請求項３】
前記弾性体は、各袋状部の連結部分の近傍箇所における前記袋状体間に配設された小スプリングである請求項２に記載のポータブルＤＶＤ装置のディスク収納構造。
【発明の詳細な説明】
【技術分野】
【０００１】
本発明は、ディスクの再生機構を内蔵するＤＶＤ本体部における前記再生機構が配置されている下側に、他のディスクを収納する収納部を有するポータブルＤＶＤ装置のディスク収納構造に関するものである。
【背景技術】
【０００２】
従来、ポータブルＤＶＤ装置と数枚のディスクを持ち運ぶときには、ホータブルＤＶＤ装置と数枚のディスクを分けて持ち運ばなくてはならなかった。このため、ディスクを入れるためのパーケージが必要であり、このパッケージが大きくて邪魔になるという問題があった。
【０００３】
第１の従来技術を図６に示す。これは、図６に示すように、ＣＤ１２０を再生する再生機構を内蔵するＣＤプレイヤー本体１３０の下面に予備のＣＤ１２１を収納するＣＤ収納ケース１４０を着脱自在に装着している（例えば、特許文献１参照）。
【０００４】
ところが、これは、ＣＤ１２１を一枚一枚ずつ収納するようになっていて、ＣＤ１２１を複数枚同時に収納できるものではなかった。また、複数枚収納ケース１４０を装着すると嵩張ってしまう。
【０００５】
第２の従来技術を図７（ａ）（ｂ）に示す。これは、図７（ａ）（ｂ）に示すように、上面部に演奏されるディスクが装着される装着部が設けられている本体２０１の底面部２０１Ａに予備のディスクを装着する予備ディスク装着部２０３を形成したものである（例えば、特許文献２参照）。
【０００６】
ところが、これは、ディスクを予備ディスク装着部に一枚だけ装着するものであり、ディスクを複数枚装着できるものではなかった。また、再生中に予備ディスク装着部２０３からディスクを取り出すことは困難であった。
【０００７】
第３の従来技術を図８（ａ）（ｂ）に示す。これは、図８（ａ）（ｂ）に示すように、情報記録媒体Ｄを設置して情報記録媒体Ｄに記録されている情報の再生を行う携帯型の本体３１２と、本体３１２に配置された情報記録媒体Ｄを覆う蓋体３１４とを備え、蓋体３１４には、本体３１２に配置されている情報記録媒体Ｄとは別の情報記録媒体Ｄ１を着脱可能に配置するための情報記録媒体Ｄ１の保持手段３４０を有する（例えば、特許文献３参照）。
【０００８】
ところが、これは、別の情報記録媒体Ｄ１は一枚だけ蓋体３１４に着脱するものであり、複数枚着脱できるものではなかった。また、再生中に保持手段３４０から情報記録媒体Ｄ１を取り出すことは不可能であった。
【特許文献１】実開平５−５９６９３号公報
【特許文献２】特開平９−３５４６５号公報
【特許文献３】特開平１０−２８９５６７号公報
【発明の開示】
【発明が解決しようとする課題】
【０００９】
本発明は、上記従来の問題に鑑みてなされたものであって、複数のディスクをポータブルＤＶＤ装置と一体にして持ち運ぶことができ、持ち運ぶときに、どちらかを忘れることがなく、またディスクを持ち運ぶときに嵩張ることがなく、また、再生中でも収納部からディスクを取り出すことが可能なポータブルＤＶＤ装置のディスク収納構造を提供することを目的としている。
【課題を解決するための手段】
【００１０】
本発明は、上記課題を解決するために提案されたものであって、請求項１に記載の発明は、ディスクの再生機構を内蔵するＤＶＤ本体部における前記再生機構が配置されている下側に、他のディスクを収納する収納部を有するポータブルＤＶＤ装置のディスク収納構造において、前記収納部は、前記ＤＶＤ本体部から側面方向に出し入れ可能に構成され、前記収納部の前面側に前後２箇所の係止溝が形成され、前記ＤＶＤ本体部の側面に、前記収納部を前記ＤＶＤ本体部内に入れた時と前記収納部を前記ＤＶＤ本体部から出した時に、前記前後２箇所の係止溝にそれぞれ係入係止される爪部を有する押しボタンが設けられていて、更に、前記収納部にはディスクが１枚ずつ入れられた複数の袋状体が収納される凹所が形成され、前記複数の袋状体は、一体に連結された基部の近傍における各袋状体間に配設されたスポンジからなる弾性体でそれぞれ開くように構成されており、前記収納部における前記複数の袋状体が収納される前記凹所の横端側に、前記複数の袋状体が折り重なって畳まれた状態を保持するためのスライド式の引っ掛け部が設けられていることを特徴としている。
【００１１】
請求項２に記載の発明は、ディスクの再生機構を内蔵するＤＶＤ本体部における前記再生機構が配置されている下側に、他のディスクを収納する収納部を有するポータブルＤＶＤ装置のディスク収納構造において、前記収納部は、前記ＤＶＤ本体部から側面方向又は前面方向に出し入れ可能に構成され、前記収納部が出し入れされるときに、出した状態と入れた状態で係止する押しボタンを有する係止機構が設けられていて、更に前記収納部にはディスクが一枚ずつ入れられた複数の袋状体が収納される凹所が形成され、前記複数の袋状体は、一体に連結された基部の近傍における各袋状体間に配設された弾性体でそれぞれ開くように構成されており、前記収納部における前記複数の袋状体が収納される前記凹所には、その端部に複数の袋状体が折り重なって畳まれた状態を保持する引っ掛け部が設けられていることを特徴としている。
【００１２】
請求項３に記載の発明は、前記弾性体は、各袋状部の連結部分の近傍箇所における前記袋状体間に配設された小スプリングである。
【発明の効果】
【００１３】
請求項１に記載の発明によれば、複数のディスクを収納する収納部を、ＤＶＤ本体部から出し入れ可能にしたので、複数のディスクをポータブルＤＶＤ装置と一体にして持ち運ぶことができ、持ち運ぶときに、どちらかを忘れることがなく、またディスクを持ち運ぶときに嵩張ることがない。また、収納部をＤＶＤ本体部に入れた時と出した時に押しボタンの爪部で、入れた状態と出した状態に固定できるので、収納部をＤＶＤ本体部に入れた状態で安定して持ち運ぶことができ、出した状態で収納部に収納されている複数のディスクを簡単に取り替えることができる。更に、ディスクを一枚ずつ入れられた複数の袋状体がスポンジからなる弾性体で開くように構成されているので、複数の袋状体から所望のディスクを簡単に取り出すことができる。また、複数の袋状体は、収納部のスライド式の引っ掛け部で収納された状態で固定されるので、ばらつくことを防ぐことができる。更に、再生中でも収納部からディスクを取り出す事も可能である。
【００１４】
請求項２に記載の発明によれば、複数のディスクを収納する収納部を、ＤＶＤ本体部から出し入れ可能にしたので、複数のディスクをポータブルＤＶＤ装置と一体にして持ち運ぶことができ、持ち運ぶときに、どちらかを忘れることがなく、またディスクを持ち運ぶときに嵩張ることがない。また、収納部をＤＶＤ本体部に入れた時と出した時に押しボタンで、入れた状態と出した状態に固定できるので、収納部をＤＶＤ本体部に入れた状態で安定して持ち運ぶことができ、出した状態で収納部に収納されている複数のディスクを簡単に取り替えることができる。更に、ディスクを一枚ずつ入れられた複数の袋状体が弾性体で開くように構成されているので、複数の袋状体から所望のディスクを簡単に取り出すことができる。また、複数の袋状体は、収納部のスライド式の引っ掛け部で収納された状態で固定されるので、ばらつくことを防ぐことができる。更に、再生中でも収納部からディスクを取り出すことも可能である。
【００１５】
請求項３に記載の発明によれば、弾性体が小スプリングからなるので、複数の袋状体を確実に開くことができ、また、簡単に折り重なって畳まれた状態として収納部に収納することができる。
【発明を実施するための最良の形態】
【００１６】
以下、本発明に係るポータブルＤＶＤ装置のディスク収納構造の実施の形態について、図を参照しつつ説明する。
【００１７】
図１は本発明の実施形態のポータブルＤＶＤ装置のディスク収納構造の全体構成を示す斜視図である。
【００１８】
本実施形態のポータブルＤＶＤ装置のディスク収納構造は、図１に示すように、ＤＶＤ本体部１に、一枚ずつのディスクＤが収納された複数の袋状体２が収納される収納部３が
出し入れ可能になっている。
【００１９】
図２は実施形態のポータブルＤＶＤ装置のディスク収納構造におけるＤＶＤ本体部にディスクの収納部を出し入れする状態を示し、（ａ）はその収納部をＤＶＤ本体部内に入れた状態の斜視図、（ｂ）はその収納部をＤＶＤ本体部から側方に出した状態の斜視図である。
【００２０】
図２（ａ）（ｂ）に示すように、収納部３の前面側に前後２箇所の係止溝３ａ、３ｂが形成され、ＤＶＤ本体部１の側面に、収納部３をＤＶＤ本体部１内に入れた時と収納部３をＤＶＤ本体部１から出した時に、前後２箇所の係止溝３ａ、３ｂにそれぞれ係入係止される爪部４ａを有する押しボタン４が設けられている。尚、ＤＶＤ本体部１内の奥側には、収納部３を出す方向に付勢するスプリング５が配設されている。
【００２１】
図３は実施形態のポータブルＤＶＤ装置のディスク収納構造における収納部にディスクを入れた袋状体を収納した状態の斜視図である。
【００２２】
図３に示すように、収納部３にはディスクＤが１枚ずつ入れられた複数の袋状体２が収納される凹所３ｄが形成され、収納部３における複数の袋状体２が収納される凹所３ｃの横端側に複数の袋状体２が折り重なって畳まれた状態を保持するためのスライド式の引っ掛け部６が設けられている。
【００２３】
図４は実施形態のポータブルＤＶＤ装置のディスク収納構造における複数の袋状体の第１例を示す正面図である。
【００２４】
図４に示すように、複数の袋状体２は、一体に連結された基部２ａの近傍における各袋状体２間に配設されたスポンジ７からなる弾性体でそれぞれ開くように構成されている。
【００２５】
図５は実施形態のポータブルＤＶＤ装置のディスク収納構造における複数の袋状体の第２例を示す正面図である。
【００２６】
この第２例では、図５に示すように、各袋状体２は、一体に連結された基部２ａの近傍における各袋状体２間に配設された小スプリング８からなる弾性体でそれぞれ開くように構成されている。
【００２７】
本実施形態のポータブルＤＶＤ装置のディスク収納構造によれば、複数のディスクＤを収納する収納部３を、ＤＶＤ本体部１から出し入れ可能にしたので、複数のディスクＤをポータブルＤＶＤ装置と一体にして持ち運ぶことができ、持ち運ぶときに、どちらかを忘れることがなく、またディスクＤを持ち運ぶときに嵩張ることがない。また、収納部３をＤＶＤ本体部１に入れた時と出した時に押しボタン４の爪部４ａで、入れた状態と出した状態に固定できるので、収納部３をＤＶＤ本体部１に入れた状態で安定して持ち運ぶことができ、出した状態で収納部３に収納されている複数のディスクＤを簡単に取り替えることができる。また、再生中でも収納部３からディスクＤを取り出しことができる。
【００２８】
更に、ディスクＤを一枚ずつ入れられた複数の袋状体２がスポンジ７又は小スプリング８からなる弾性体で開くように構成されているので、複数の袋状体２から所望のディスクＤを簡単に取り出すことができる。また、複数の袋状体２は、収納部３のスライド式の引っ掛け部６で収納された状態で固定されるので、ばらつくことを防ぐことができる。
【図面の簡単な説明】
【００２９】
【図１】本発明の実施形態のポータブルＤＶＤ装置のディスク収納構造の全体構成を示す斜視図である。
【図２】実施形態のポータブルＤＶＤ装置のディスク収納構造におけるＤＶＤ本体部にディスクの収納部を出し入れする状態を示し、（ａ）はその収納部をＤＶＤ本体部内に入れた状態の斜視図、（ｂ）はその収納部をＤＶＤ本体部から側方に出した状態の斜視図である。
【図３】実施形態のポータブルＤＶＤ装置のディスク収納構造における収納部にディスクを入れた袋状体を収納した状態の斜視図である。
【図４】実施形態のポータブルＤＶＤ装置のディスク収納構造における複数の袋状体の第１例を示す正面図である。
【図５】実施形態のポータブルＤＶＤ装置のディスク収納構造における複数の袋状体の第２例を示す正面図である。
【図６】従来のポータブル式ＣＤプレーヤーの斜視図である。
【図７】従来のポータブル型ディスクプレーヤーを示し、（ａ）はその分解斜視図、（ｂ）はその部分断面図せある。
【図８】従来の情報記録媒体の情報再生装置を示し、（ａ）はその蓋体を開けた状態の斜視図、（ｂ）はその縦断面図である。
【符号の説明】
【００３０】
Ｄ        ディスク
１        ＤＶＤ本体部
２        袋状体
２ａ      基部
３        収納部
３ａ      係止溝
３ｂ      係止溝
３ｃ      凹所
３ｄ      凹所
４        押しボタン
４ａ      爪部
５        スプリング
６        スライド式の引っ掛け部
７        スポンジ
８        小スプリング
【図１】
2006004554.tif 000003
【図２】
2006004554.tif 000004
【図３】
2006004554.tif 000005
【図４】
2006004554.tif 000006
【図５】
2006004554.tif 000007
【図６】
2006004554.tif 000008
【図７】
2006004554.tif 000009
【図８】
2006004554.tif 000010